(57)【要約】  本発明は、ファニチャー（１１）又は家電機器（１２）用の収納棚ベース（１）に関し、収納棚ベース（１）は、ファニチャー（１１）又は家電機器（１２）の本体（１３，１４）に配置される支持プレート（３）と、支持プレート（３）に対して確実にガイドされ且つ回転移動及び並進移動を同時に可能である収納棚（４）とを備え、支持プレート（３）及び収納棚（４）の向き合う受け面（３１，４２）はそれぞれ、閉じられた周方向の転走溝（３３，３４，４３，４４，４５，４６）を有し、当該転走溝内では転動要素（１０）がガイドされ、収納棚（４）は、開動作において初期ポジションから中間ポジションまで支持プレート（３）に対して移動可能であり、中間ポジションでは、収納棚（４）は回転方向（Ｒ１，Ｒ２）に支持プレート（３）に対して回転され且つ所定の方向（Ａ）に位置がずらされ、収納棚（４）は、閉動作において中間ポジションから初期ポジションに戻るまで移動可能であり、支持プレート（３）及び収納棚（４）の向き合う受け面（３１，４２）はそれぞれ、転動要素（１０）がガイドされる第２の転走溝（３４，４５，４６）を有し、支持プレート（３）及び収納棚（４）の第２の転走溝（３４，４５，４６）は、支持プレート（３）及び収納棚（４）の第１の転走溝（３３，４３，４４）を少なくとも部分的に包囲する。【選択図】図１
2020531206.tif 000002
【特許請求の範囲】
【請求項１】
ファニチャー（１１）又は家電機器（１２）用の収納棚ベース（１）であって、
前記ファニチャー（１１）又は前記家電機器（１２）の本体（１３，１４）に配置される支持プレート（３）と、
前記支持プレート（３）に対して確実にガイドされ且つ回転移動及び並進移動を同時に可能である収納棚（４）とを備え、
前記支持プレート（３）及び前記収納棚（４）の互いに向き合う受け面（３１，４２）はそれぞれ、少なくとも大部分が閉じられた周方向の転走溝（３３，４３，４４）を有し、前記転走溝（３３，４３，４４）内では、転動要素（１０）がガイドされ、
前記収納棚（４）は、開動作において初期ポジションから中間ポジションまで前記支持プレート（３）に対して移動可能であり、前記中間ポジションでは、前記収納棚（４）は回転方向（Ｒ１，Ｒ２）に前記支持プレート（３）に対して回転され且つ所定の方向（Ａ）に位置がずらされ、前記収納棚（４）は、閉動作において前記中間ポジションから前記初期ポジションに戻るまで移動可能である又はさらに前記回転方向（Ｒ１，Ｒ２）に前記初期ポジションに対して１８０°にわたって回転されたポジションにまで移動可能である、収納棚ベース（１）において、
前記支持プレート（３）及び前記収納棚（４）の互いに向き合う前記受け面（３１，４２）はそれぞれ、転動要素（１０）がガイドされる第２の転走溝（３４，４５，４６）を有し、前記支持プレート（３）及び前記収納棚（４）の前記第２の転走溝（３４，４５，４６）は、前記支持プレート（３）及び前記収納棚（４）の第１の前記転走溝（３３，４３，４４）を少なくとも部分的に包囲することを特徴とする、収納棚ベース（１）。
【請求項２】
前記収納棚（４）の前記受け面（４２）に一体的に形成される前記第２の転走溝（４５，４６）は、閉じられた周方向の転走溝（４５，４６）の形状であることを特徴とする、請求項１に記載の収納棚ベース（１）。
【請求項３】
前記支持プレート（３）の前記受け面（３１）に一体的に形成される前記第２の転走溝（３４）は、前記支持プレート（３）の１つの側部に向かって開放して設計されることを特徴とする、請求項２に記載の収納棚ベース（１）。
【請求項４】
外側の前記転走溝（３４）は、導入面取状部及び／又は丸くなった部分を有する入口領域として、前記支持プレート（３）の開放した前記側部に向かうように設計されることを特徴とする、請求項３に記載の収納棚ベース（１）。
【請求項５】
前記転動要素（１０）は、少なくとも１つの転動要素ケージ（９）に収容されることを特徴とする、請求項１〜４のいずれか一項に記載の収納棚ベース（１）。
【請求項６】
４つの前記転動要素（１０）が、好ましくは互いから間隔をあけて、前記第１の転走溝（３３，４３，４４）の間に配置されることを特徴とする、請求項１〜５のいずれか一項に記載の収納棚ベース（１）。
【請求項７】
４つの前記転動要素（１０）が、好ましくは互いから間隔をあけて、前記第２の転走溝（３４，４５，４６）の間に配置されることを特徴とする、請求項１〜６のいずれか一項に記載の収納棚ベース（１）。
【請求項８】
前記転動要素（１０）は玉として設計されることを特徴とする、請求項１〜７のいずれか一項に記載の収納棚ベース（１）。
【請求項９】
前記第１の転走溝（３３，４３，４４）及び前記第２の転走溝（３４，４５，４６）の前記転動要素（１０）は、共通の転動要素ケージ（９）に、好ましくは捕捉されたかたち及び／又は互いから間隔をあけて、収容されることを特徴とする、請求項１〜８のいずれか一項に記載の収納棚ベース（１）。
【請求項１０】
前記転動要素ケージ（９）は、円形状リング（９１）と、前記円形状リング（９１）から延びる複数の延伸アーム（９２）とを有することを特徴とする、請求項９に記載の収納棚ベース（１）。
【請求項１１】
少なくとも２つ、好ましくは４つのアーム形状の前記延伸アーム（９２）が前記円形状リング（９１）から半径方向に延びることを特徴とする、請求項１０に記載の収納棚ベース（１）。
【請求項１２】
前記転動要素（１０）を受け入れるための受け入れポケット（９３）が、前記延伸アーム（９２）の自由端の領域と、前記円形状リング（９１）において前記延伸アーム（９２）が前記円形状リング（９１）に接続される領域とに形成されることを特徴とする、請求項１０又は１１に記載の収納棚ベース（１）。
【請求項１３】
前記延伸アーム（９２）の長さは、前記円形状リング（９１）の半径（ｒ）よりも大きいことを特徴とする、請求項１０又は１１に記載の収納棚ベース（１）。
【請求項１４】
前記収納棚（４）の上縁（４８）に被さるように係合する又は前記収納棚（４）の溝に係合する傾動防護エレメント（７）が、前記収納棚（４）の棚面（４１）に平行な傾動軸の周りで前記収納棚（４）が傾動することを防ぐように、前記支持プレート（３）に配置されることを特徴とする、請求項１〜１３のいずれか一項に記載の収納棚ベース（１）。
【請求項１５】
前記傾動防護エレメント（７）は、引掛けフックとして設計されることを特徴とする、請求項１４に記載の収納棚ベース（１）。
【請求項１６】
前記本体（１３，１４）に不動であるように留め付けられ且つその上に前記支持プレート（３）が配置されるベースプレート（２）をさらに備えることを特徴とする、請求項１〜１５のいずれか一項に記載の収納棚ベース（１）。
【請求項１７】
請求項１〜１６のいずれか一項に記載の少なくとも１つの収納棚ベース（１）を有する本体（１３）を備えるファニチャー（１１）。
【請求項１８】
請求項１〜１６のいずれか一項に記載の少なくとも１つの収納棚ベース（１）を有する本体（１４）を備える、特に冷蔵庫又は冷凍庫である家電機器（１２）。
【発明の詳細な説明】
【技術分野】
【０００１】
本発明は、請求項１のプリアンブル部分に係るファニチャー又は家電機器用の収納棚ベース及びファニチャー又は家電機器に関する。
【背景技術】
【０００２】
支持プレートと、支持プレート上でガイドされる収納棚とが回転移動及び並進移動を同時に行うことができるように配置されるタイプの収納棚ベースがあり、当該収納棚ベースは、ファニチャー又は冷蔵庫若しくは冷凍庫等の家電機器の収納スペースにおいて、他のタイプではアクセスできない表面にアクセスすることを可能にする。
【０００３】
例えば、ターンテーブルを搭載する収納棚ベースは既知であり、当該収納棚ベースでは、ターンテーブルは収納棚ベースのベースプレートに直接的に設置される（独国特許出願公開第４２１６７６５号明細書）。
【０００４】
過去に公開された独国特許出願公開第１０２０１７１０６１７０号明細書は、支持プレートに対して確実にガイドされ且つ回転移動及び並進移動を同時に行うことができる収納棚を開示する。
【先行技術文献】
【特許文献】
【０００５】
【特許文献１】独国特許出願公開第４２１６７６５号明細書
【特許文献２】独国特許出願公開第１０２０１７１０６１７０号明細書
【発明の概要】
【０００６】
これらの先行技術の収納棚ベースの不都合な点は、収納棚の回転軸受への負荷が、特に当該収納棚への負荷が不均等に分布する場合に、極めて不均等であるということである。このことは、高い摩擦力が原因で転動要素の１つが一時的な支点を形成するという結果をもたらし得る。当該支点は、動作制御の瞬間極と一致せず、それ故、軸受のジャミングを時々引き起こし得る。
【０００７】
本発明の目的は、不均一に分布する負荷がある場合でも収納棚ベースの信頼性のある動作を可能にする、ファニチャー又は家電機器用の収納棚ベースを提供することである。
【０００８】
この目的は、請求項１の特徴を有するファニチャー又は家電機器用の収納棚ベースによって解決され、請求項１７の特徴を有するファニチャーによって解決され、請求項１８の特徴を有する家電機器によって解決される。
【０００９】
本発明に係る収納棚ベースは、ファニチャー又は家電機器の本体に配置される支持プレートと、支持プレートに対して確実にガイドされ且つ回転移動及び並進移動を同時に可能である収納棚とを備える。
【００１０】
支持プレート及び収納棚の互いに向き合う受け面はそれぞれ、閉じられた周方向の第１の転走溝を有し、第１の転走溝内では、転動要素がガイドされる。
【００１１】
収納棚は、開動作において初期ポジションから中間ポジションまで支持プレートに対して移動可能であり、中間ポジションでは、収納棚は１つの回転方向に支持プレートに対して回転され且つ所定の方向に位置がずらされ、収納棚は、閉動作において中間ポジションから初期ポジションに戻るまで移動可能である又はさらに上記１つの回転方向に初期ポジションに対して１８０°にわたって回転されたポジションにまで移動可能である。
【００１２】
収納棚は、支持プレートに対して、第１回転方向と、反対の第２回転方向とに回転可能であり、このことはさらにデバイスの操作性を単純化する。
【００１３】
デバイスの操作性のさらなる単純化は、収納棚が支持プレートに対していかなるアングルででも第１回転方向と反対の第２回転方向とに回転されることができるという点で、達成される。
【００１４】
支持プレート及び収納棚の互いに向き合う受け面はそれぞれ、転動要素がガイドされる第２の転走溝を有し、支持プレート及び収納棚の第２の転走溝は、支持プレート及び収納棚の第１の転走溝を少なくとも部分的に包囲する。
【００１５】
第２の転走溝を支持プレート及び収納棚の受け面に導入することによって、左右不均等な負荷がかかっていても、力をより均等に分散させることが可能になる。これにより、軸受の配置部分における摩擦力が顕著に低減される。特に、転動要素の面圧は、特に静止した状態において、５０％に至るまで低減されることが可能である。
【００１６】
さらに、特に、支持プレートに対する収納棚の移動の開始段階において、規定されていない動きが発生する危険性が、第２の転走溝がより大きい半径を有することによって明確に制限される。
【００１７】
本発明の有利な実施態様例が、従属請求項の主題である。
【００１８】
有利な実施態様例によると、収納棚の受け面に形成される第２の転走溝は、閉じられた周方向の転走溝として設計され、このことは、信頼性のある転動要素のガイドを可能にする。
【００１９】
別の実施態様例によると、支持プレートの受け面に一体的に形成される外側の転走溝は、支持プレートの１つの側部、特に前側部に向かって開放して形成され、このことは、収納棚ベースの設置を容易にする。
【００２０】
転動要素が支持プレートから転出すること及び支持プレートへ転入することを最適化するために、支持プレートの前側部に向かう外側の転走溝は、導入領域として、特に導入面取状部として設計され、丸くなった移行部がさらに、導入面取状部から実際の転走溝のプロファイルへの移行部に設けられることができ、実際の転走溝のプロファイルは、転動要素のプロファイルに相補するよう設計される。導入面取状部の代わりに、丸くなった導入部があってもよい。
【００２１】
別の好ましい実施態様例によると、転動要素は、少なくとも１つの転動要素ケージに収容される。
【００２２】
第１の転走溝及び第２の転走溝の転動要素は、共通の転動要素ケージに収容されることが特に好ましく、共通の転動要素ケージは、収納棚ベースの組み立てを容易にも迅速にもする。
【００２３】
好ましい実施態様例では、転動要素ケージは、円形状リングと、円形状リングから半径方向に延びる４つのアームとを有し、このことは、投入される材料を低減しつつ個々の転動要素にかかる負荷の分布を最適化することを可能にする。
【００２４】
有利な実施態様例によると、転動要素は、受け入れポケットに収容され、受け入れポケットは、アームの自由端の領域と、円形状リングにおいてアームが円形状リングに接続される領域とに形成される。
【００２５】
可能である限り最も広く負荷を分散するために、アームの長さは、円形状リングの半径よりも大きいことが好ましい。
【００２６】
本発明の一実施態様例によると、収納棚又は支持プレートの受け面は、支持プレート又は収納棚と一体的に設計される。他の実施態様例では、受け面の少なくとも１つが分割された要素として設計され、分割された要素は、支持プレート又は収納棚における適応する形状の受け部内に挿入されてもよく、又は、支持プレート又は収納棚に接続手段によって取り付けられてもよい。
【００２７】
基本のポジションでの収納棚の位置決めを向上するために、少なくとも大部分が閉じられた周方向の転走溝は、少なくとも初期ポジション及び／又は初期ポジションに対して１８０°回転されたポジションにおいて、転動要素（複数）を係止するいくつかの係止ポイントを有することが好ましい。
【００２８】
本発明の別の有利な実施態様例によると、傾動防護エレメントが支持プレートに配置され、当該傾動防護エレメントは、収納棚の上縁の一部を覆い且つ収納棚の棚面に平行な傾動軸を中心として収納棚が傾動することを防ぐ役割を果たす。又は、傾動防護エレメントは、収納棚内の溝に係合するように設計されてもよい。
【００２９】
このような傾動防護エレメントの有利な点は、特に、収納棚への負荷が収納棚に配置されたものに不均等に分布する場合に、収納棚の傾動を防ぐことである。
【００３０】
好ましい実施態様例によると、傾動防護エレメントの或るセクションは、ベースプレートホルダの第２リセス内に位置し、それにより、傾動防護エレメントのさらなる安定化が達成される。好ましい実施態様例によると、傾動防護エレメントは、引掛けフックとして設計され、特にＣ形状に形成された引掛けフックとして設計される。
【図面の簡単な説明】
【００３１】
【図１】図１は、本発明に係る収納棚ベースの一実施態様例の分解斜視図である。
【図２】図２は、図１による収納棚ベースの概略的な斜視図であり、支持プレートに対して収納棚が４５°回転されたポジションにある図である。
【図３】図３は、分解して示されるベースプレート、支持プレート及びベースプレートホルダの斜視図である。
【図４】図４は、転動要素を収容するための転動要素ケージの上面図である。
【図５】図５は、転動要素ケージの一部を示すための図４の断面記号Ｖにおける断面図である。
【図６】図６は、収納棚ベースが組み込まれたファニチャーの斜視図である。
【図７】図７は、収納棚ベースが組み込まれた冷蔵機器として設計される家電機器の斜視図である。
【発明を実施するための形態】
【００３２】
以下において、本発明の好ましい実施態様例が添付の図面を用いてより詳細に説明される。
【００３３】
以下の図の説明において、頂、底、左、右、前及び後等の用語は、各図において選択される収納棚ベース、ベースプレート、支持プレート、収納棚及び転走溝等の例示的な表現及び位置に単に言及するに過ぎない。これらの用語は、限定するものとして理解されるべきではなく、すなわち、これらの言及は、様々な作用ポジション又は鏡面対照的な解釈等に起因して変わり得る。
【００３４】
図１において、参照符号１は、収納棚ベースを全体として示す。
【００３５】
本実施態様例では、収納棚ベース１は、ベースプレート２と支持プレート３とを有し、ベースプレート２は、ファニチャー１１又は家電機器１２の本体１３，１４（図６及び図７参照）に動かないように固定されることができ、支持プレート３は、ベースプレート２上に配置される。
【００３６】
当該支持プレート３上において、回転移動及び並進移動を同時に行うことができる収納棚４がある。回転移動及び並進移動を同時に確実にガイドするために、支持プレート３及び収納棚４における互いに向き合う受け面３１，４２はそれぞれ、閉じられた周方向の第１転走溝３３，４３，４４を有し、当該転走溝３３，４３，４４内において、転動要素１０（複数）がガイドされる。ここで使用される転動要素１０は、特に玉である。
【００３７】
支持プレート３は、ベースプレート２に取り外し可能に留め付けられる、又は、支持プレート３は、図１に示すように、ファニチャー又は家電機器の本体にベースプレート２を固定するベースプレートホルダ５に取り外し可能に留め付けられる。
【００３８】
又は、支持プレート３は、ファニチャー１１又は家電機器１２の本体１３，１４に１つ以上の補助具を介して、直接的に取り付けられてもよく、好ましくは、取り外し可能に取り付けられてもよい。この場合、追加のベースプレート２が必要ない、又は、収納棚４を備えた支持プレート３が、ベースプレート２と置き換えられる。
【００３９】
図１及び図２に示すように、収納棚４の支持を向上するために、内側の第１転走溝３３，４３，４４と、外側の第２転走溝３４，４５，４６とが、収納棚４に向き合う支持プレート３の上側部又は受け面３１上と支持プレート３に向き合う収納棚４の下側部又は受け面上との両方に設けられる。
【００４０】
支持プレート３の内側転走溝３３は、閉じられた周方向の転走溝として設計される。外側転走溝３４は、収納棚ベース１の前側部に向かって開放している。
【００４１】
外側転走溝３４は、好ましくは、支持プレート３の前部に向かう導入面取状部として設計され、これにより、支持プレート３からの転動要素１０の転出及び支持プレート３上への転動要素１０の転入を容易にする。なお、丸くなった移行部がさらに、導入面取状部から実際の転走溝のプロファイルへの移行部に設けられてもよく、実際の転走溝のプロファイルは、転動要素のプロファイルに相補するよう設計される。
【００４２】
収納棚４の回転移動及び並進移動を同時に確実にガイドするために、部分的に重なる２つの内側転走溝４３，４４と、同様に部分的に重なる２つの外側転走溝４５，４６とがそれぞれ、収納棚４の下側面内に導入されている。全ての転走溝４３，４４，４５，４６は、閉じられた周方向の転走溝として設計される。
【００４３】
図２は、４５°回転したポジションにある収納棚ベース１を示す。この図で見ることができるように、転動要素１０（複数）の１つは、支持プレート３の表面の外側に配置される。
【００４４】
上記転動要素１０の紛失を防ぐために、複数の転動要素１０は、転動要素ケージ９に収容される。このような転動要素ケージ９の好ましい実施態様例が図４に示される。
【００４５】
ここでは、転動要素ケージ９は、４つのアーム形状の延伸アーム９２を備えた円形状リング９１の形状をしており、４つの延伸アーム９２は、円形状リング９１から半径方向外側に向かって延び、４つの延伸アーム９２の自由端のそれぞれでは、さらなる転動要素１０が収容される。
【００４６】
例えば、２つの延伸アーム９２のみを備える転動要素ケージ９を設計することも、他の異なる数量の延伸アーム９２を備える転動要素ケージ９を設計することも、考えられ得る。
【００４７】
例えば、Ｖ字状の延伸アームの形状などの延伸アームの他の様々な設計も考えられ得る。
【００４８】
４つの転動要素１０が、好ましくは、第１転走溝３３，４３及び４４同士の間に配置される。４つの転動要素１０が外側の第２転走溝３４，４５，４６同士の間に配置されることも好ましい。転動要素ケージ９が２つの延伸アーム９２しか備えないように設計される場合、２つの転動要素１０のみが、内側の転走溝のケース及び外側の転走溝のケースのそれぞれにおいて配置され得る。
【００４９】
第１転走溝３３，４３，４４及び第２転走溝３４，４５，４６の転動要素１０は、好ましくは、図４に示すように、共通の転動要素ケージ９に収容される。
【００５０】
第１転走溝３３，４３，４４の転動要素１０と第２転走溝３４，４５，４６の転動要素１０とのための分割された転動要素ケージを設けることも考えられ得る。
【００５１】
転動要素１０を収容するために、好ましくは、受け入れポケット９３が、延伸アーム９２の自由端の領域と、円形状リング９１において延伸アーム９２が円形状リング９１に接続される領域とに形成される。これら受け入れポケット９３は、ここでは玉として設計される転動要素１０を、転動要素ケージ９において位置が動かないかたちで保持する。
【００５２】
円形状リング９１の受け入れポケット９３が延伸アーム９２の受け入れポケット９３に対して半径方向に配置されないといった、受け入れポケット９３が互い違いに配置されることも考えられ得る。
【００５３】
個々の転動要素１０への負荷の分布を最適化するために、延伸アーム９２の長さは、好ましくは、円形状リング９１の半径よりも大きい。
【００５４】
内側転走溝３３，４３，４４と外側転走溝３４，４５，４６との両方は、力が収納棚４に水平方向に加えられたとき、収納棚４が以下のように移動することができるように、形作られている。つまり、力が収納棚４に水平方向に加えられたとき、収納棚４は、図１に示す支持プレート３に対する収納棚４の向きに従った初期位置から、図２に示す中間ポジションを経由して、９０°にわたって回転された積み降ろしポジションにまで移動することができ、積み降ろしポジションでは、収納棚４は、９０°にわたって回転されているだけでなく、積み降ろしを容易にするために所定の距離にわたって位置をずらされてもいる。
【００５５】
初期ポジションに戻す移動は、閉方向に水平方向に力を与えることによって、又は、回転方向を逆転することによって、同様に単純な方法で行われる。閉方向では、収納棚４は、初期の回転方向を維持しつつ閉ポジションにまでさらに移動される。
【００５６】
図１及び図３に示すように、ベースプレート２を保持するためのベースプレートホルダ５は、ベースプレート２の縁２２の周りに少なくとも部分的に係合する。
【００５７】
この目的のために、ベースプレートホルダ５は２つのリセス５４を有し、２つのリセス５４内にはそれぞれ、支持プレート３の１つの縁から延びる接続エレメント６が挿入されることができ、２つのリセス５４は、嵌め合い式の係止又は摩擦による係止によって、ベースプレートホルダ５において挿入された状態で保持される。
【００５８】
図１及び図３に示すように、接続エレメント６は、支持プレート３に一体的に形成される。ここでは、接続エレメント６は、舌状のウェブ６１として設計され、その自由端で上方へ厚くなる又は上方へ曲がるフック部を有する。フック部は、ベースプレートホルダ５の帯状セクション５６の背部に係合する。
【００５９】
ベースプレートホルダ５は、本質的には、スロット５２を有する帯状形状のベース体５１で構成され、スロット５２は、ベース体５１の長手方向の長さを超えて延び、ベースプレート２の後縁２２を収容する役割を果たす。
【００６０】
スロット５２の上方には、留め付け帯状体５３が一体的に形成され、留め付け帯状体５３は、ベースプレートホルダ５をファニチャー１１又は家電機器１２の本体１３，１４に留め付ける役割を果たし、留め付け帯状体５３を用いることで、ベースプレート２は、ファニチャー１１又はここでは冷蔵機器のかたちである家電機器１２の本体１３，１４に固定されることができる。
【００６１】
１つ以上の第１リセス５４が、留め付け帯状体５３内に導入され、接続エレメント６を収容するために用いられる。
【００６２】
図１及び図３に示すように、ベースプレートホルダ５は、スロット５２の上方に第２リセス５５を有し、第２リセス５５は、傾動防護エレメント７を収容する役割を果たす。
【００６３】
このような傾動防護エレメント７は、支持プレート３上に配置もされ、収納棚４の上縁４８に上から被さるように形作られもする。
【００６４】
傾動防護エレメント７は、収納棚４の棚面４１に平行な傾動軸を中心として収納棚４が傾動することを防ぐ役割を果たす。このような傾動は、負荷が収納棚４の棚面４１に不均等に分布する場合に特に起こり得る。
【００６５】
傾動防護エレメント７は、好ましくはＣ形の引掛けフックとして設計され、傾動防護エレメント７の１つのセクション７３は、支持プレート３の後縁から突出し上方へ曲げられている。平坦な中央セクション７２は、上記セクション７３に隣接し、中央セクション７２は、収納棚４の棚面４１を囲む壁部の鉛直方向の高さに適応する高さで延びる。中央セクション７２に隣接する傾動防護エレメント７の屈曲端部７１は、上記壁部の上縁４８を越えて突出し、傾動が起こった場合に収納棚４が傾動することを防ぐ。
【００６６】
保持エレメント（複数）を、支持プレート３自体に配置し、特に一体的に形成するように配置することも考えられ得る。当該保持エレメントは、ベースプレート２の周りに係合し、それにより支持プレート３をベースプレート２に固定することを可能にする。
【００６７】
支持プレート３及び収納棚４は、軸方向の固定のために固定デバイス８を用いて互いに固定される。
【００６８】
図１に示すように、固定デバイス８はネジ８１を有し、ネジ８１は、支持プレート３のスロット３５を通って下方から突出し、これにより、収納棚４が支持プレート３に対してスライド移動することを可能にする。
【００６９】
低摩擦のスライド移動を可能にするために、ワッシャ８２及び摺動リング８３がネジ８１に配置され、摺動リング８３は、スロット３５の領域におけるベースプレート２に面した支持プレート３の下側面と接触している。
【００７０】
収納棚４への軸方向の固定のために、搭載ブラケット４７が収納棚４の棚面４１に挿入され、搭載ブラケット４７は、キャップ８４によってカバーされる。
【００７１】
当該キャップ８４のネジ８１に面する下側面には、雌ネジを有するネジ穴が設けられ、ネジ８１は、当該ネジ穴内に捩じ込まれることでキャップ８４をその搭載ポジションで軸方向に保持することができる。
【００７２】
ベースプレート２は、ガラスプレートとして設計されることができる。ベースプレート２を、木製プレート又はプラスチック若しくは金属製のプレートとして設計することも可能である。支持プレート３及び収納棚４は、好ましくは、プラスチック又はガラスで生成される。
【００７３】
例えば、特に冷蔵庫又は冷凍庫のような冷蔵装置として設計される家電機器の場合、例えばガラスプレートの形態である既に存在するベースプレート２は、収納棚ベース１を生成するために、支持プレート及び収納棚を安定させ且つ組み込むのに使用可能であるということが、特に有利である。なお、上記の収納棚ベース１は、並進移動及び回転移動を同時に行うことができ、それにより特に積み降ろしが容易であるものである。
【００７４】
図６は、本発明に係るファニチャー１１の収納棚ベース（複数）を示し、ファニチャー１１は、収納棚ベース１（複数）が配置される本体１３を有する。
【００７５】
図７は、本ケースでは冷蔵庫である本発明に係る家電機器１２の収納棚ベース（複数）を示し、家電機器１２は、収納棚ベース１（複数）が配置される本体１４を有する。
【符号の説明】
【００７６】
１  収納棚ベース
２  ベースプレート
２２  縁
３  支持プレート
３１  受け面
３２  下側面
３３  転走溝
３４  転走溝
３５  スロット
４  収納棚
４１  棚面
４３  転走溝
４４  転走溝
４５  転走溝
４６  転走溝
４７  搭載ブラケット
４８  上縁
５  ベースプレートホルダ
５１  ベース体
５２  スロット
５３  留め付け帯状体
５４  第１リセス
５５  第２リセス
５６  帯状セクション
６  接続エレメント
７  傾動防護エレメント
７１  屈曲端部
７２  中央セクション
７３  セクション
８  固定デバイス
８１  ネジ
８２  ワッシャ
８３  摺動リング
８４  キャップ
９  転動要素ケージ
９１  円形状リング
９２  延伸アーム
９３  受け入れポケット
１０  転動要素
１１  ファニチャー
１２  家電機器
１３  本体
１４  本体
ｒ  半径
Ａ  方向
Ｒ１  回転方向
Ｒ２  回転方向
【図１】
2020531206.tif 000003
【図２】
2020531206.tif 000004
【図３】
2020531206.tif 000005
【図４】
2020531206.tif 000006
【図５】
2020531206.tif 000007
【図６】
2020531206.tif 000008
【図７】
2020531206.tif 000009
【国際調査報告】
2020531206.tif 000010
2020531206.tif 000011
2020531206.tif 000012
2020531206.tif 000013